(57)【要約】【課題】液中に含まれる気泡を効率よく基板外に排出することができる現像方法を提供する。【解決手段】現像方法において、回転保持部２により基板Ｗの中心部Ｃ周りに基板Ｗを回転させる工程と、回転する基板Ｗ上であって中心部Ｃから外れた予め設定された位置４２に、リンスノズル４によりプリウェット液の吐出を開始して、プリウェット液の吐出開始直後からプリウェット液の広がりで中心部Ｃを覆わせる工程と、プリウェット液の吐出を停止した後に、回転する基板Ｗ上に、現像ノズル３により現像液の吐出を開始する工程と、を備えている。吐出開始直後から遠心力の小さい中心部Ｃにプリウェット液の流れを起こすことができる。そのため、中心部Ｃにプリウェット液の吐出を開始した場合に比べ、プリウェット液中に含まれる気泡を効率よく基板Ｗ外に排出することができる。【選択図】図１
2019165254.tif 000002
【特許請求の範囲】
【請求項１】
基板に対して現像処理を行う現像方法であって、
回転保持部により基板の中心部周りに前記基板を回転させる工程と、
回転する前記基板上であって前記中心部から外れた予め設定されたプリウェット液位置に、プリウェットノズルによりプリウェット液の吐出を開始して、プリウェット液の吐出開始直後からプリウェット液の広がりで前記中心部を覆わせる工程と、
プリウェット液の吐出を停止した後に、回転する前記基板上に、現像ノズルにより現像液の吐出を開始する工程と、
を備えていることを特徴とする現像方法。
【請求項２】
請求項１に記載の現像方法において、
現像液の吐出を停止した後に、回転する前記基板上であって前記中心部から外れた予め設定されたリンス液位置に、リンスノズルによりリンス液の吐出を開始して、リンス液の吐出開始直後からリンス液の広がりで前記中心部を覆わせる工程を更に備えていることを特徴とする現像方法。
【請求項３】
基板に対して現像処理を行う現像方法であって、
回転保持部により基板の中心部周りに前記基板を回転させる工程と、
回転する前記基板上に、現像ノズルにより現像液の吐出を開始する工程と、
現像液の吐出を停止した後に、回転する前記基板上であって前記中心部から外れた予め設定されたリンス液位置に、リンスノズルによりリンス液の吐出を開始して、リンス液の吐出開始直後からリンス液の広がりで前記中心部を覆わせる工程と、
を備えていることを特徴とする現像方法。
【発明の詳細な説明】
【技術分野】
【０００１】
本発明は、半導体基板、液晶表示用ガラス基板、フォトマスク用ガラス基板、光ディスク用基板等の基板に対して現像処理を行う現像方法に関する。
【背景技術】
【０００２】
従来、基板処理装置として、現像装置がある。現像装置は、フォトレジスト膜が形成され、所定のパターンが露光された基板に対して、現像液を供給して現像処理を行う。現像装置は、基板を略水平姿勢で保持して鉛直軸周りで回転させる回転保持部と、プリウェット液、現像液、またはリンス液を基板上に供給する各種のノズルとを備えている（例えば、特許文献１、２参照）。プリウェット液、現像液またはリンス液の吐出は、基板Ｗの中心部に向けて開始される。
【先行技術文献】
【特許文献】
【０００３】
【特許文献１】特開２００９−２３１６１７号公報
【特許文献２】特開２００９−２３１６１９号公報
【発明の概要】
【発明が解決しようとする課題】
【０００４】
現像液でフォトレジスト（以下、「レジスト」と呼ぶ）を処理すると、レジストの一部が溶解して溶解生成物が現像液中に混入する。上述の回転式の現像装置は、基板の中心部にフレッシュな現像液を吐出し、基板の回転により現像液を均等に広げつつ、基板の外縁部から溶解生成物が混入した現像液を排出する。つまり、フレッシュな現像液を吐出して溶解生成物を基板外に排出している。
【０００５】
ここで、従来の現像方法は、次のような問題がある。まず、現像欠陥の原因となる溶解生成物の排出（すなわち洗浄）が十分に行われない問題がある。例えば、２つのレジストパターン間に溶解生成物が残ると、２つのレジストパターン間をブリッジする現像欠陥が発生する。これは、レジストパターンの微細化に伴い、デバイス性能に影響する現像欠陥サイズが縮小し、従来よりも現像欠陥の検査サイズが厳しくなったことで表面化した。そのため、レジストの溶解性生成物の排出を十分に行うために、吐出する現像液の流量や吐出圧、時間を調整したり、現像ノズルをスキャンさせたりすることが必要になる。
【０００６】
また、溶解生成物の排出効果を優先し、例えば長時間現像液を基板の中心部に吐出し続けると、基板の外縁部から中心部につれてレジストパターンが細くなる問題がある。特に、基板の中心部では、このレジストパターンが細くなる問題が顕著である。レジストパターンが細くなる問題は、図９のように、レジストの種類により影響差がある。図９は、光源に対応するレジスト種と残膜量の関係を示す図である。この図は、塗布後の膜厚を１．０としたときの現像後の残りの膜厚の割合を示す。膜厚は、面全体の平均値で比較される。
【０００７】
また、プリウェット液やリンス液を吐出する場合、基板の中心部で保持された液中に気泡が含まれると、基板の中心部は遠心力が小さいので、基板上に残る可能性がある。基板上に気泡が残ると、プリウェット液の場合は、現像液を吐出した際に、残った気泡の部分で現像が不十分になる可能性がある。また、リンス液の場合は、残った気泡の部分でリンスが不十分になる可能性がある。
【０００８】
本発明は、このような事情に鑑みてなされたものであって、液中に含まれる気泡を効率よく基板外に排出することができる現像方法を提供することを目的とする。
【課題を解決するための手段】
【０００９】
本発明は、このような目的を達成するために、次のような構成をとる。
すなわち、本発明に係る、基板に対して現像処理を行う現像方法は、回転保持部により基板の中心部周りに前記基板を回転させる工程と、回転する前記基板上であって前記中心部から外れた予め設定されたプリウェット液位置に、プリウェットノズルによりプリウェット液の吐出を開始して、プリウェット液の吐出開始直後からプリウェット液の広がりで前記中心部を覆わせる工程と、プリウェット液の吐出を停止した後に、回転する前記基板上に、現像ノズルにより現像液の吐出を開始する工程と、を備えていることを特徴とする。
【００１０】
本発明に係る現像方法によれば、吐出開始直後から遠心力の小さい中心部にプリウェット液の流れを起こすことができる。そのため、中心部にプリウェット液の吐出を開始した場合に比べ、プリウェット液中に含まれる気泡を効率よく基板外に排出することができ、残存する気泡に起因する現像不良を防止することができる。また、プリウェット位置に吐出されたプリウェット液の広がりで中心部を覆わせているので、中心部から外れた位置に直接、プリウェット液が吐出されても、中心部のプリウェット処理を実行できる。
【００１１】
また、上述の現像方法において、現像液の吐出を停止した後に、回転する前記基板上であって前記中心部から外れた予め設定されたリンス液位置に、リンスノズルによりリンス液の吐出を開始して、リンス液の吐出開始直後からリンス液の広がりで前記中心部を覆わせる工程を更に備えていることが好ましい。
【００１２】
これにより、吐出開始直後から遠心力の小さい中心部にリンス液の流れを起こすことができる。そのため、中心部にリンス液の吐出を開始した場合に比べ、リンス液中に含まれる気泡を効率よく基板外に排出することができ、リンスが不十分となることを防止することができる。また、リンス液位置に吐出されたリンス液の広がりで中心部を覆わせているので、中心部から外れた位置に直接、リンス液が吐出されても、中心部のリンス処理を実行できる。
【００１３】
また、本発明に係る、基板に対して現像処理を行う現像方法は、回転保持部により基板の中心部周りに前記基板を回転させる工程と、回転する前記基板上に、現像ノズルにより現像液の吐出を開始する工程と、現像液の吐出を停止した後に、回転する前記基板上であって前記中心部から外れた予め設定されたリンス液位置に、リンスノズルによりリンス液の吐出を開始して、リンス液の吐出開始直後からリンス液の広がりで前記中心部を覆わせる工程と、を備えていることを特徴とするものである。
【００１４】
本発明に係る現像方法によれば、吐出開始直後から遠心力の小さい中心部にリンス液の流れを起こすことができる。そのため、中心部にリンス液の吐出を開始した場合に比べ、リンス液中に含まれる気泡を効率よく基板外に排出することができ、リンスが不十分となることを防止することができる。また、リンス液位置に吐出されたリンス液の広がりで中心部を覆わせているので、中心部から外れた位置に直接、リンス液が吐出されても、中心部のリンス処理を実行できる。
【００１５】
なお、本明細書は、次のような現像方法に係る発明も開示している。
（１）現像方法は、回転保持部により基板の中心部周りに前記基板を回転させる工程と、ノズルから吐出された現像液の液柱の幅方向の領域が前記基板の中心から外れるように、回転する前記基板上であって前記中心部から外れた予め設定された第１の位置に、現像ノズルにより現像液の吐出を開始する工程と、前記第１の位置に吐出された現像液の広がりで前記中心部を覆わせる工程と、を備えている。
前記（１）に記載の発明によれば、ノズルから吐出された現像液の液柱の幅方向の領域が基板の中心から外れるように、中心部周りに回転する基板上であって、中心部から外れた予め設定された第１の位置に、現像ノズルにより現像液の吐出を開始する。これにより、吐出開始直後から遠心力が小さい中心部に現像液の流れを起こすことができる。そのため、中心部に現像液の吐出を開始した場合に比べ、レジストの溶解生成物を効率よく基板外に排出することができる。また、吐出開始直後から現像ノズルにより直接吐出される現像液の到着位置が分散され、特に基板の中心部でレジストパターンが細くなることが抑えられ、処理ばらつきを抑制できる。
また、第１の位置に吐出された現像液の広がりで中心部を覆わせているので、中心部から外れた位置に直接、現像液が吐出されても、中心部の現像処理を実行できる。
【発明の効果】
【００１６】
本発明に係る現像方法によれば、中心部にプリウェット液の吐出を開始した場合に比べ、プリウェット液中に含まれる気泡を効率よく基板外に排出することができ、残存する気泡に起因する現像不良を防止することができる。また、中心部にリンス液の吐出を開始した場合に比べ、リンス液中に含まれる気泡を効率よく基板外に排出することができ、リンスが不十分となることを防止することができる。
【図面の簡単な説明】
【００１７】
【図１】実施例に係る現像装置の概略構成を示すブロック図である。
【図２】実施例に係る現像装置の平面図である。
【図３】基板の回転速度と各処理液の吐出タイミングの一例を示す現像工程の図である。
【図４】（ａ）、（ｂ）は、前工程を説明するための図であり、（ｃ）〜（ｅ）は、主現像工程を説明するための図である。
【図５】（ａ）、（ｂ）は、主現像工程を説明するための図であり、（ｃ）、（ｄ）は、洗浄工程を説明するための図である。
【図６】（ａ）は、中心部に吐出した場合と中心部から外して吐出した場合のレジスト寸法（線幅）を比較した図であり、（ｂ）は、（ａ）の測定位置を示す図である。
【図７】変形例に係る基板の回転速度と各処理液の吐出タイミングの一例を示す現像工程の図である。
【図８】変形例に係る中心部から外れて吐出する方法を示す図である。
【図９】光源に対応するレジスト種と残膜量の関係を示す図である。
【実施例】
【００１８】
以下、図面を参照して本発明の実施例を説明する。図１は、実施例に係る現像装置の概略構成を示すブロック図であり、実施例に係る現像装置の平面図である。
【００１９】
〔現像装置の構成〕
図１を参照する。現像装置１は、基板Ｗを略水平姿勢で保持して回転保持部２と、現像液を吐出する現像ノズル３と、リンス液を吐出するリンスノズル４とを備えている。なお、リンスノズル４は、本発明のリンスノズルおよびプリウェットノズルに相当する。
【００２０】
回転保持部２は、鉛直軸ＡＸ１周りに回転可能に基板Ｗを保持するスピンチャック５と、スピンチャック５を鉛直軸ＡＸ１周りに回転駆動させる回転駆動部６とを備えている。スピンチャック５は、例えば、基板Ｗの裏面を真空吸着して基板Ｗを保持する。回転駆動部６は、モータ等により構成されている。なお、鉛直軸ＡＸ１と基板Ｗの中心部Ｃは、基板Ｗを上から見たときに略一致する。
【００２１】
回転保持部２の側方には、回転保持部２を囲うカップ７が設けられている。カップ７は、図示しない駆動部により、上下方向に移動するように構成されている。
【００２２】
現像液ノズル３は、移動方向であるＸ方向に一列に並んだ複数（例えば５個）の吐出口３ａを備えている（図１の破線で囲んだ拡大図参照）。これにより、幅広く現像液を吐出するので、基板Ｗ全面に素早く現像液を与えることができる。一方、リンスノズル４は、１つの吐出口４ａを備えている。
【００２３】
アーム９は、図２のように、現像ノズル３を支持する。現像ノズル移動部１１は、アーム９を介在して現像ノズル３を所定の位置および高さに移動させる。現像ノズル移動部１１は、図２のように、現像ノズル３をＸ方向に移動させる水平移動部１１ａと、現像ノズル３をＺ方向に移動させる昇降部１１ｂとを備えている。水平移動部１１ａは昇降部１１ｂをＸ方向に移動可能に支持し、昇降部１１ｂはアーム９を支持する。
【００２４】
アーム１３は、図２のように、リンスノズル４を支持する。リンスノズル移動部１５は、アーム１３を介在してリンスノズル４を所定の位置および高さに移動させる。すなわち、リンスノズル移動部１５は、鉛直軸ＡＸ２周りにリンスノズル４を回転移動させ、また、リンスノズル４をＺ方向に昇降させる。リンスノズル移動部１５は、アーム１３を鉛直軸ＡＸ２周りに回転可能に支持し、また、アーム１３をＺ方向に移動可能に支持する。
【００２５】
水平移動部１１ａ、昇降部１１ｂ、リンスノズル移動部１５は、モータ等で構成される。また、現像ノズル３は、リンスノズル移動部１５のように、現像ノズル３が鉛直軸周りに回転移動してもよい。また、リンスノズル４は、水平移動部１１ａのように、Ｘ方向に移動してもよい。また、水平移動部１１ａは、Ｘ方向およびＹ方向の少なくともいずれかに移動する構成であってもよい。
【００２６】
図１に戻る。現像ノズル３には、現像液供給源１７から現像液配管１９を通じて現像液が供給される。開閉弁Ｖ１とポンプＰ１は、現像液配管１９に介在している。開閉弁Ｖ１は現像液の供給とその停止を行い、ポンプＰ１は現像液を現像ノズル３に送り出す。
【００２７】
リンスノズル４には、リンス液供給源２１からリンス液配管２３を通じてリンス液が供給される。開閉弁Ｖ２とポンプＰ２は、リンス液配管２３に介在している。開閉弁Ｖ２はリンス液の供給とその停止を行い、ポンプＰ２はリンス液をリンスノズル４に送り出す。なお、本実施例では、リンス液とプリウェット液は同じものを用いるので、リンスノズル４により、プリウェット液も吐出される。
【００２８】
現像装置１は、中央演算処理装置（ＣＰＵ）などで構成された制御部３１と、現像装置１を操作するための操作部３３とを備えている。制御部３１は、現像装置１の各構成を制御する。操作部３３は、液晶モニタなどの表示部と、ＲＯＭ（Read-only Memory）、ＲＡＭ（Random-Access Memory）、およびハードディスク等の記憶部と、キーボード、マウス、および各種ボタン等の入力部とを備えている。記憶部には、現像処理の各種条件が記憶されている。
【００２９】
〔現像装置の動作〕
次に、現像装置１の動作を説明する。本実施例では、図１のように、中心部Ｃ（鉛直軸ＡＸ１）周りに回転する基板Ｗ上であって、中心部Ｃから外れた予め設定された位置４１に、現像ノズル３により現像液の吐出を開始する。これにより、吐出開始直後から遠心力が小さい中心部Ｃに現像液の流れを起こすことができる。そのため、中心部Ｃに現像液の吐出を開始した場合に比べ、レジストの溶解生成物を効率よく基板Ｗ外に排出することができる。また、吐出開始直後から現像ノズル３により直接吐出される現像液の到着位置が分散され、特に基板Ｗの中心部Ｃでレジストパターンが細くなることが抑えられる。
【００３０】
また、位置４１に吐出された現像液の広がりで中心部Ｃを覆わせているので、中心部Ｃから外れた位置４１に直接、現像液が吐出されても、中心部Ｃの現像処理を実行できる。なお、位置４１に吐出された現像液の広がりで中心部Ｃを覆わすことができない場合は、例えば中心部Ｃで現像ができない。
【００３１】
なお、位置４１は、本発明の第１の位置に相当する。また、後述する位置４２は、本発明のプリウェット液位置（第２の位置）に相当し、後述する位置４３は、本発明のリンス液位置（第３の位置）に相当する。
【００３２】
図３は、基板Ｗの回転速度と各処理液の吐出のタイミングの一例を示す現像工程の図である。本実施例では、現像処理は、前工程（ｔ０〜ｔ３）と、主現像工程（ｔ３〜ｔ１０）と、洗浄工程（ｔ１０〜ｔ１２）とを備えている。また、主現像工程（ｔ３〜ｔ１０）は、現像液吐出工程（ｔ３〜ｔ８）と、時間調整工程（ｔ８〜ｔ１０）とを備えている。
【００３３】
なお、本実施例では、プリウェット液にリンス液が用いられ、例えば、脱イオン水（ＤＩＷ）等の純水が用いられる。そのため、プリウェット液は、リンスノズル４から吐出される。また、図４（ａ）〜図４（ｅ）、図５（ａ）〜図５（ｄ）において、プリウェット液を符号Ｌｐｒｅで示し、現像液を符号Ｌｄｅｖで示し、そして、リンス液を符号Ｌｒｉｎで示す。
【００３４】
図１において、図示しない搬送ロボにより、回転保持部２上に基板Ｗが搬送される。基板Ｗ上には、フォトレジスト膜ＲＦが形成され、所定のパターンが露光されている。回転保持部２は、基板Ｗの裏面を保持する。なお、図２等において、レジスト膜ＲＦの図示を省略する。
【００３５】
図３の前工程始めの時点ｔ０で、回転保持部２は、基板Ｗの中心部Ｃ周りに基板Ｗを回転させる。基板Ｗは、約２０rpmで回転される。また、リンスノズル移動部１５は、カップ７外側の待機位置から基板Ｗの上方の所定位置にリンスノズル４を移動させる。すなわち、リンスノズル移動部１５は、中心部Ｃから外れた予め設定された距離Ｄ２離れた基板Ｗの上方の位置４２にリンスノズル４を移動させる（図２参照）。
【００３６】
時点ｔ１で、リンスノズル４により、回転する基板Ｗ上（詳しくはレジスト膜上）にプリウェット液の吐出を開始する。すなわち、図４（ａ）、図４（ｂ）のように、現像液の吐出を開始する前に、基板Ｗの中心部Ｃから外れた予め設定された位置４２に、リンスノズル４によりプリウェット液の吐出を開始する。基板Ｗ上に到着したプリウェット液は、中心部Ｃから外れているので、吐出開始直後より、中心部Ｃの外側から中心部Ｃに向けてプリウェット液が流れる。このように、吐出開始直後より流れを発生させるので、中心部Ｃに直接吐出する場合に比べ、特に遠心力が加わりにくい中心部Ｃから気泡等を効率よく除くことができる。
【００３７】
なお、なぜ中心部Ｃ付近に例えば気泡が残るのかの説明を補足する。プリウェット液が直接吐出される位置では、上から基板Ｗ側に例えば気泡が押し付けられる。押し付けられる位置が中心部Ｃの場合、同じ位置で押し付け続ける。また、中心部Ｃ付近は遠心力が小さい。それらにより、例えば基板Ｗに付着する気泡が中心部Ｃに残りやすい。現像液およびリンス液でも同様である。
【００３８】
時点ｔ２で、リンスノズル４によるプリウェット液の吐出が停止される。そして、リンスノズル移動部１５は、基板Ｗの上方から待機位置にリンスノズル４を移動させる。なお、リンスノズル４は、洗浄工程（ｔ１０〜ｔ１２）を行うために、その場で待機していてもよい。また、現像ノズル移動部１１は、カップ７外側の待機位置から基板Ｗの上方の所定位置に現像ノズルを移動させる。現像ノズル移動部１１は、中心部Ｃから外れた予め設定された距離Ｄ１離れた基板Ｗの上方の位置４１に現像ノズル３を移動させる（図２参照）。
【００３９】
基板Ｗ上のプリウェット液は、基板Ｗの中心部Ｃから外縁部Ｅに向けて広がり、基板Ｗ上に保持される。なお、基板Ｗ上の余分なプリウェット液は、基板Ｗの外側に排出されてもよい。
【００４０】
主現像工程始めの時点ｔ３で、現像ノズル３により、回転する基板Ｗ上に現像液の吐出を開始する。すなわち、図４（ｃ）、図４（ｄ）のように、基板Ｗの中心部Ｃから外れた予め設定された位置４１に、現像ノズル３により現像液の吐出を開始する。プリウェット液により基板Ｗ上の濡れ性が改善されているので、基板Ｗ上の到着した現像液は広がりやすくなっている。また、レジストの種類によっては、レジスト膜に直接現像液を吐出すると、現像液に接した部分で反応が進み、渦巻き状の凹凸ができる。しかし、プリウェット液を介して現像液を塗布すると反応が緩和され、上述の凹凸が抑えられる。
【００４１】
プリウェット液は、徐々に、現像液で置換される。また、現像液が基板Ｗ上に到着しているので、現像液によるレジスト膜の所定パターンが溶解し、現像液中に溶解生成物が生成される。
【００４２】
時点ｔ４で、回転保持部２は、基板Ｗの回転速度を約１０００rpmに上昇させる。これにより、図４（ｅ）のように、現像液が基板Ｗ外に排出される。これにより、生成したフォトレジストの溶解生成物が基板Ｗ外に効率的に排出される。そして、時点ｔ５では、回転保持部２は、基板Ｗの回転速度を約７００rpmに下降させる。また、時点ｔ５では、現像ノズル３により現像液を吐出しつつ、図５（ａ）のように、現像ノズル移動部１１により現像ノズル３を位置４１から基板Ｗの外縁部Ｅ側に移動させる。また、新規の現像液を吐出しつつ、基板Ｗに現像液を排出することにより、溶解生成物が除去され、新規の現像液に置換される。
【００４３】
なお、本実施例おいて、中心部Ｃから外れた位置に吐出が開始された現像液、プリウェット液およびリンス液は、川状又は筋状に流れるのではなく、回転により基板Ｗ略全面に広がるように流れ、その後に基板Ｗ外に排出される。
【００４４】
時点ｔ６では、回転保持部２は、基板Ｗの回転速度を約２００rpmに下降させる。また、時点ｔ６では、現像ノズル３により現像液を吐出しつつ、現像ノズル移動部１１により現像ノズル３を外縁部Ｅ側から位置４１に移動する。すなわち、時点ｔ５〜時点ｔ７の期間で、現像ノズル３は、基板Ｗの半径方向に往復スキャンされる。また、基板Ｗが低速回転になるので、基板Ｗ外に排出される現像液が減少する。
【００４５】
なお、スキャンは、本実施例では往復であるが、往路だけでもよい。この場合、復路は、吐出を停止して現像ノズル３が移動される。スキャンは、１往復だけでなく、複数往復してもよい。また、往復スキャンする際に、位置４１に戻らなくてもよい。また、スキャンは、中心部Ｃの上方を通過しないように行ってもよい。
【００４６】
時点ｔ７では、回転保持部２は、基板Ｗの回転速度を約３０rpmに更に下降させる。これにより、基板Ｗ外に排出される現像液が更に減少し、図５（ｂ）のように、回転と表面張力により基板Ｗ上に保持された予め設定された量の液層ＬＬが形成される。
【００４７】
時点ｔ８では、現像ノズル３による現像液の吐出を停止させる。基板Ｗは引き続き回転され、所定量の現像液が基板Ｗ上に保持される。なお、時点ｔ８では、溶解生成物は、十分に基板Ｗ外に排出されており、所望の寸法パターンのレジスト膜が得られるように、時点ｔ１０まで、主現像工程（ｔ３〜ｔ１０）の合計の処理時間が調整される。
【００４８】
時点ｔ９では、回転保持部２は、基板Ｗの回転速度を約１００rpmに上昇させる。これにより、基板Ｗ上の現像液に遠心力を作用させる。
【００４９】
なお、時点ｔ８〜ｔ１０の間で、現像液ノズル移動部１１は、位置４１から待機位置に現像ノズル３を移動させる。また、リンスノズル移動部１５は、待機位置から基板Ｗの上方の所定位置にリンスノズル４を移動させる。リンスノズル移動部１５は、基板Ｗの中心部Ｃから予め設定された距離Ｄ３離れた位置４３にリンスノズル４を移動させる（図２参照）。
【００５０】
洗浄工程始めの時点ｔ１０では、回転保持部２は、基板Ｗの回転速度を約１０００rpmに更に上昇させる。また、リンスノズル４により、回転する基板Ｗ上にリンス液の吐出を開始する。すなわち、図５（ｃ）、図５（ｄ）のように、基板Ｗの中心部Ｃから外れた予め設定された位置４３に、リンスノズル４によりリンス液の吐出を開始する。これらにより、現像液は基板Ｗ外に排出され、基板Ｗ上の現像液は、徐々に、リンス液に置換される。
【００５１】
時点ｔ１１では、リンスノズル４によるリンス液の吐出を停止させる。また、回転保持部２は、基板Ｗの回転速度を約１８００rpmに更に上昇させ、基板Ｗ上のリンス液を基板Ｗ外に振り切って、基板Ｗを乾燥させる。そして、時点ｔ１２では、回転保持部２は、基板Ｗの回転を停止させる。なお、基板Ｗの乾燥は、窒素などの不活性ガスを基板Ｗに当てて行ってもよい。
【００５２】
以上により、現像工程が終了する。回転保持部２は、基板Ｗの保持を解除する。図示しない搬送ロボは、現像工程終了後の基板Ｗを搬出する。
【００５３】
本実施例によれば、中心部Ｃ周りに回転する基板Ｗ上であって、中心部Ｃから外れた予め設定された位置４１に、現像ノズル３により現像液の吐出を開始する。これにより、吐出開始直後から遠心力が小さい中心部Ｃに現像液の流れを起こすことができる。そのため、中心部Ｃに現像液の吐出を開始した場合に比べ、レジストの溶解生成物を効率よく基板外に排出することができる。また、吐出開始直後から現像ノズル３により直接吐出される現像液の到着位置が分散され、特に基板Ｗの中心部Ｃでレジストパターンが細くなることが抑えられ、処理ばらつきを抑制できる。
【００５４】
効果を補足する。図６（ａ）は、中心部Ｃに現像液を吐出した場合と中心部Ｃから外した位置４１に現像液を吐出した場合との現像後のレジスト寸法（線幅）を比較した図である。両者は共に、往復スキャン動作させている。また、図６（ｂ）は、図６（ａ）の計測位置を示す図である。
【００５５】
図６（ａ）によれば、中心部Ｃに吐出した場合に、中心部Ｃとその付近のレジスト寸法が平均値に対して深く凹んでいる。これに対し、中心部Ｃを外して吐出した場合は、それよりも凹みが浅くなっている。基板Ｗの面内のレジスト寸法の範囲（最大値−最小値）は、中心部Ｃに吐出した場合では、２．３nmであり、中心部Ｃを外した場合では、１．２nmである。なお、面内ばらつき（３σ）は、中心部Ｃに吐出した場合では、１．２nmであり、中心部Ｃを外した場合では１．０nmである。すなわち、面内ばらつきは、大きく差がないものの、局所的に中心部Ｃで現像処理差が大きくなっている。
【００５６】
また、位置４１に吐出された現像液の広がりで中心部Ｃを覆わせているので、中心部Ｃから外れた位置に直接、現像液が吐出されても、中心部Ｃの現像処理を実行できる。
【００５７】
また、現像液で中心部Ｃを覆わせた後に、現像ノズル３により現像液を吐出しつつ、ノズル移動部１１により現像ノズル３を基板Ｗの外縁部Ｅ側に移動させている。現像液ノズル３により直接吐出される基板Ｗ上の位置が移動することで、遠心力で流れる現像液と異なる力が加わるので、溶解生成物をより効率よく排出できる。
【００５８】
また、回転する基板Ｗ上であって中心部Ｃから外れた予め設定された位置４２に、リンスノズル４によりプリウェット液（本実施例ではリンス液）の吐出を開始し、位置４２に吐出されたプリウェット液の広がりで中心部Ｃを覆わせる。現像液の吐出の開始は、プリウェット液の吐出を停止した後に行われる。
【００５９】
これにより、吐出開始直後から遠心力の小さい中心部にプリウェット液の流れを起こすことができる。そのため、中心部Ｃにプリウェット液の吐出を開始した場合に比べ、プリウェット液中に含まれる気泡を効率よく基板Ｗ外に排出することができ、残存する気泡に起因する現像不良を防止することができる。また、位置４２に吐出されたプリウェット液の広がりで中心部Ｃを覆わせているので、中心部Ｃから外れた位置４２に直接、プリウェット液が吐出されても、中心部Ｃのプリウェット処理を実行できる。
【００６０】
また、現像液の吐出を停止した後に、回転する基板Ｗ上であって中心部Ｃから外れた予め設定された位置４３に、リンスノズル４によりリンス液の吐出を開始し、位置４３に吐出されたリンス液の広がりで中心部Ｃを覆わせる。
【００６１】
これにより、吐出開始直後から遠心力の小さい中心部Ｃにリンス液の流れを起こすことができる。そのため、中心部Ｃにリンス液の吐出を開始した場合に比べ、リンス液中に含まれる気泡を効率よく基板Ｗ外に排出することができ、リンスが不十分になることを防止することができる。また、位置４３に吐出されたリンス液の広がりで中心部Ｃを覆わせているので、中心部Ｃから外れた位置４３に直接、リンス液が吐出されても、中心部Ｃのリンス処理を実行できる。
【００６２】
本発明は、上記実施形態に限られることはなく、下記のように変形実施することができる。
【００６３】
（１）上述した各実施例において、基板Ｗの回転を下降させて基板Ｗ上に現像液の液層ＬＬ形成後、溶解生成物低減（現像欠陥低減）のために、次の動作を実行させてもよい。すなわち、図７の時点ｔ７１〜ｔ７３のように、中心部Ｃから外れた予め設定された位置４１に現像液を吐出中に、一時的に回転速度を上昇させて、基板Ｗ上に形成した液層ＬＬを基板Ｗ外に排出し、再び液層ＬＬを形成する。この動作を１回または複数回行ってもよい。これにより、フォトレジストの溶解生成物を、より効率的に基板Ｗ外に排出することができる。
【００６４】
（２）上述した各実施例および変形例（１）では、現像ノズル３は、複数の吐出口３ａを備えているが、吐出口３ａは１つであってもよい。また、現像ノズル３の吐出口３ａは、スリット状であってもよい。
【００６５】
（３）上述した各実施例および各変形例では、リンスノズル４は、１つの吐出口４ａを備えているが、吐出口４ａは、現像ノズル３のように複数（例えば５つ）であってもよい。
【００６６】
（４）上述した各実施例および各変形例では、リンス液とプリウェット液は同じ液を用いているが、リンス液とプリウェット液は、異なる液を用いてもよい、また、リンス液とプリウェット液をリンスノズル４により吐出しているが、複数の吐出口４ａを備えて、別々の吐出口４ａからリンス液とプリウェット液を吐出してもよい。また、リンスノズル４とは別に、プリウェット液用のノズルを備えて、リンスノズル４とは、個別に移動させるようにしてもよい。また、ノズルは複数の吐出口を備え、別々の吐出口からプリウェット液、現像液およびリンス液を吐出させてもよい。
【００６７】
（５）上述した各実施例および各変形例では、プリウェット液は位置４２に吐出され、リンス液は位置４３に吐出される。すなわち、プリウェット液とリンス液は、同じ位置に吐出される。しかし、これらは異なる位置に吐出してもよい。また、プリウェット液とリンス液は、その位置から移動せずに吐出されるが、現像液のように、往復スキャンさせてもよい。また、リンス液は窒素などの不活性ガスと一緒にスキャンさせて、基板Ｗを乾燥してもよい。
【００６８】
（６）上述した各実施例および各変形例において、プリウェット液、現像液およびリンス液は、少なくともいずれかの液が中心部Ｃから外れた予め設定された位置に吐出されればよい。すなわち、全てで中心部Ｃから外れた位置に吐出しなくともよい。また、プリウェット処理が不必要であれば、図３の前処理を省略してもよい。また、プリウェット液またはリンス液による基板処理は、単独で行ってもよい。
【００６９】
（７）上述した各実施例および各変形例において、複数の吐出口３ａを備える現像ノズル３は、図２や図４（ｄ）のように、吐出口３ａの列の延長上に中心部Ｃが存在するが、延長上に中心部Ｃが存在していなくてもよい。例えば、図８のように、列の形成する方向と交わる方向に中心部Ｃが存在するように、現像ノズル３が配置してもよい。すなわち、図８の中心部Ｃから外した位置に現像液の吐出を開始してもよい。そして、矢印のようにスキャンしてもよい。
【符号の説明】
【００７０】
１        …  現像装置
２        …  回転保持部
３        …  現像ノズル
３ａ      …  吐出口
４        …  リンスノズル
４ａ      …  吐出口
１１      …  現像ノズル移動部
１５      …  リンスノズル移動部
３１      …  制御部
４１〜４３  …  位置
Ｃ        …  中心部
Ｅ        …  外縁部
ＬＬ      …  液層
Ｌｐｒｅ  …  プリウェット液
Ｌｄｅｖ  …  現像液
Ｌｒｉｎ  …  リンス液
Ｗ        …  基板
【図１】
2019165254.tif 000003
【図２】
2019165254.tif 000004
【図３】
2019165254.tif 000005
【図４】
2019165254.tif 000006
【図５】
2019165254.tif 000007
【図６】
2019165254.tif 000008
【図７】
2019165254.tif 000009
【図８】
2019165254.tif 000010
【図９】
2019165254.tif 000011